(57)【要約】【課題】効率よくかつ経済的に作製することができる綴込み冊子を提供すること。【解決手段】冊子本体と、前記冊子本体に綴じ込まれたシートが、前記冊子の綴込み線１３に向かって二つ折りにされ、前記二つ折りにより接する端部周辺同士が接着部１４，１４で接着されることで形成されたポケット部１１と、からなる綴込み冊子１とすることで、効率よくかつ経済的に作製することができる綴込み冊子、その綴込み冊子の組立てキット、並びにその製造方法を提供する。【選択図】図１
2008012779.tif 000002
【特許請求の範囲】
【請求項１】
冊子本体と、
前記冊子本体に綴じ込まれたシートが、前記冊子の綴込み線に向かって二つ折りにされ、前記二つ折りによって接する端部周辺同士が接着されることで形成されたポケット部と、
からなる綴込み冊子。
【請求項２】
前記ポケット部を開封するための切断線が、前記シートの表面に設けられたことを特徴とする請求項１記載の綴込み冊子。
【請求項３】
前記ポケット部を開封するための抓み部が、前記シートの端部に設けられたことを特徴とする請求項１記載の綴込み冊子。
【請求項４】
折丁を丁合することで製造される綴込み冊子の組立キットであって、
丁合用の綴込み線が設けられた冊子本体折丁と、
丁合用の綴込み線と、二つ折り用の折り目線と、該折り目線で折り曲げられることで接する端部周辺同士を接着する接着部と、が設けられたポケット部折丁と、
前記冊子本体折丁と、前記ポケット部折丁と、を丁合する部材と、
を少なくとも含む、綴込み冊子の組立てキット。
【請求項５】
折丁を丁合することで綴込み冊子を製造する方法であって、
略帯状のシートの幅方向に、前記丁合のための綴込み線を設ける工程と、
前記シートの幅方向の端部のうちの少なくとも一方の端部を、前記綴込み線に向かって二つ折りする工程と、
前記シートを前記二つ折りした際に接する端部周辺同士を接着することでポケット部を形成する工程と、
を行なうことを特徴とする、綴込み冊子の製造方法。
【発明の詳細な説明】
【技術分野】
【０００１】
本発明は綴込み冊子に関する。より詳しくは、ポケット構造を有する綴込み冊子、その組み立てキット、並びにその製造方法に関する。
【背景技術】
【０００２】
近年、冊子のページの一部に袋とじ等のポケット構造を設けて、その内部に各種付録や試供品等を収納する綴込み冊子が多く用いられている。この綴込み冊子は、前記付録により消費者の購買意欲を向上させたり、新製品の前記試供品を収納することで新製品の広告宣伝効果を発揮したりできるため、各種ビジネスにおける販売促進等に有用である。
【０００３】
前記綴込み冊子に関するものとして、特許文献１には、植物の種子又は入浴剤が封入されたシートを綴じ込んで、前記シートを開封することによりポストカード又はアドカードを作成できる冊子に関する技術が開示されている。この綴込み冊子は、手作りによって作成することで、手作り特有の風合いを発揮させることもできる。また、特許文献２には、内部ページの一部分がその綴じ辺以外の周辺部分で糊付けされてポケット部が形成され、該袋綴じ部における糊付けされた周辺部分よりも内側にミシン目が設けられている中綴じ冊子に関する技術が開示されている。
【０００４】
【特許文献１】実用新案登録３１０９６８８５号公報。
【特許文献２】特開平７‐３０９０８０号公報。
【発明の開示】
【発明が解決しようとする課題】
【０００５】
しかし、前記ポケット部を有する折丁を作成する作業について、例えば、冊子を大量生産したい場合等には、ポケット構造とするための煩雑な工程を要したり、場合によってはどうしても手作業に頼らざるを得ない場合があるため問題となる。更に、前記ポケット部を有する折丁を綴じ込む作業についても、通常の製本用機械とは別に綴じ込み頁専用の機械が必要となる場合もあるため、作業効率や生産コスト等の面で改善すべき点がある。
【０００６】
また、前記ポケット部の全周囲を糊付け等により接着することで袋とじとする綴込み冊子等であれば、開封の際にはハサミやカッター等の道具が必要となるため、開封作業が煩雑になり、収納している内容物を前記ハサミ等により傷つけてしまう場合もある。
【０００７】
そこで、本発明は、効率よくかつ経済的に作製できる綴込み冊子を提供することを主目的とする。
【課題を解決するための手段】
【０００８】
まず、本発明は、冊子本体と、前記冊子本体に綴じ込まれたシートが、前記冊子の綴込み線に向かって二つ折りにされ、前記二つ折りにより接する端部周辺同士の周辺が接着されることで形成されたポケット部と、からなる綴込み冊子を提供する。これにより、効率よくかつ経済的に作製することができる。
【０００９】
次に、本発明は、前記ポケット部を開封するための切断線が、前記シートの表面に設けられた綴込み冊子を提供する。これにより、開封が容易となり、かつ、きれいに開封することができる。そして、本発明は、前記ポケット部を開封するための抓み部が、前記シートの端部に設けられた綴込み冊子を提供する。これにより、前記抓み部を指等で容易につかむことができるため、更に容易に開封することができる。
【００１０】
更に、本発明では、折丁を丁合することで製造される綴込み冊子の組立キットであって、丁合用の綴込み線が設けられた冊子本体折丁と、丁合用の綴込み線と、二つ折り用の折り目線と、該折り目線で折り曲げられることで接する端部周辺同士を接着する接着部と、が設けられたポケット部折丁と、前記冊子本体折丁と、前記ポケット部折丁と、を丁合する部材と、を少なくとも含む、綴込み冊子の組立てキットを提供する。かかる組立てキットによれば、ポケット構造を有する前記綴込み冊子を容易に組立てることができる。
【００１１】
そして、本発明では、折丁を丁合することで綴込み冊子を製造する方法であって、  略帯状のシートの幅方向に、前記丁合のための綴込み線を設ける工程と、前記シートの幅方向の端部のうちの少なくとも一方の端部を、前記綴込み線に向かって二つ折りする工程と、前記シートを前記二つ折りした際に接する端部周辺同士を接着することでポケット部を形成する工程と、を行なう、綴込み冊子の製造方法を提供する。かかる製造方法によって、前記ポケット構造を有する前記綴込み冊子を、効率よくかつ容易に作製できる。
【００１２】
ここで、本発明における「ポケット部」とは、収納したい物品が前記冊子に収納することができればよく、例えば、その四周が全て封止されているもの等に限定されない。
【発明の効果】
【００１３】
本発明に係る綴込み冊子は、１枚のシートを前記綴込み線に向かって二つ折りにして、該二つ折りによって接する端部周辺同士を接着することでポケット部を形成させるため、効率よくかつ経済的に綴込み冊子を作製でき、使用の際も容易に開封することができる。
【発明を実施するための最良の形態】
【００１４】
以下、本発明を実施するための好適な形態について、添付図面を参照しながら説明する。なお、図面に示された実施形態は本発明の好適な実施形態を例示したものであり、これにより本発明が狭く解釈されることはない。
【００１５】
図１は、本発明に係る綴込み冊子の第一実施形態のポケット部が閉じた状態の図であり、図２は、同実施形態のポケット部が開かれた状態の図である。
【００１６】
図１、図２に示された符号１は、ポケット部を有する綴込み冊子を表している。前記綴込み冊子１は、２つのポケット部１１，１１と、ポケット構造を有しない印刷頁（例えば、符号１２；図１、図２参照）とが、綴込み線１３で中綴じされた冊子である。
【００１７】
前記ポケット部１１は、１枚のシートの幅方向の端部を綴込み線１３に向かって二つ折りして、上下２箇所の接着部１４，１４により各端部周辺を接着することで内部空間が形成されている。そして、前記ポケット部１１は、挿入口ａから付録や試供品等の物品を前記内部空間に収納可能である。そして、前記綴込み冊子１は、左右の見開きに２つのポケット部１１，１１を備えている。
【００１８】
そして、前記挿入口ａと対向するポケット部の幅方向の端部は、１枚のシートを二つ折りすることで形成されている。従って、接着剤等によって張り合わす場合等のように接着剤が剥がれる心配も必要ない。更には、前記挿入口ａを前記綴込み線１３側に設けることで、前記綴込み冊子１が閉じられた状態であれば、前記物品が前記ポケット部１１から抜け落ちることも効果的に防止できる。
【００１９】
また、本発明では、必ずしも前記挿入口ａを接着しないことには限定されず、必要に応じ、前記挿入口ａの周辺領域にも接着部を設けて封止するとともに、別途切込みをいれること等によって、別途挿入口をポケット２１の面上に形成させることもできる。更には、本発明では、前記幅方向の端部周辺それぞれを接着部１４，１４によって接着することにも限定されず、前記二つ折りによって接する端部周辺のうちの一方のみを接着する構造であってもよい。例えば、図示はしないが、前記接着部１４，１４のうちの冊子の下側に位置する接着部１４のみを設け、二つ折りされた折り目と前記一方の前記接着部１４とによって略Ｌ字型となるポケット部とすることもできる。
【００２０】
更に、前記ポケット部１１には、開封抓み部１５が設けられており、前記物品を取り出したい際には、前記開封抓み部１５を指でつかんで容易に開封することができる。更に、前記接着部１４の内側に開封を容易にするための切断線１６，１６（点線；図１参照）が上下に設けられている。
【００２１】
そして、前記切断線１６，１６に沿って開封されたポケット部１１は、第一開封面１１１と第二開封面１１２とに展開された状態となる（図２参照）。即ち、前記切断線１６，１６を表示することで第一開封面１１１、第二開封面１１２の端部をきれいに切断できるため、美観の観点からも望ましい。
【００２２】
本発明では、前記切断線１６の種類については限定されないが、好適には、ミシン目をつけたり、点線を印字したりすることが望ましい。ミシン目等であればハサミやカッター等の切断用道具を用いなくても容易に開封でき、かつ、開封面もよりきれいである（図２参照）。
【００２３】
なお、本発明において、前記ポケット部１１の使用目的については特に限定されず、例えば、付録や試供品等を内容物として格納してもよいし、前記第一開封面１１１や前記第二開封面１１２に特別なメッセージ等を記入することに用いてもよい。前記ポケット部１１を開封しない限り、第三者は前記第一開封面１１１と第二開封面１１２に記載された前記メッセージを読むことはできないため、秘密性の保持の観点から望ましい。
【００２４】
あるいは、前記ポケット部１１に前記内容物を収納するだけでなく、前記内容物に関する説明文等を、前記第一開封面１１１や前記第二開封面１１２に記載しておくこともできる。これによって、前記ポケット部１１を開封して前記内容物を取り出す際に、前記内容物に関する説明文が開封者の目に入ってくるため、例えば、前記内容物が試供品等である場合には効果的に広告宣伝を行なうことができる。
【００２５】
更には、本発明に係る綴じ込み冊子は、個人間でやりとりするメッセージ冊子等としても使用できる。例えば、特定の相手に小物等をプレゼントとして送る場合に、前記小物を前記ポケット部１１に収納するとともに、前記第一開封面１１１等にメッセージを記入しておくこともできる。
【００２６】
また、本発明では、前記綴込み用冊子１が有する前記ポケット部１１の数についても限定されない。例えば、１枚のシートの左右の端部を綴込み線１３に向かって二つ折りすること（観音折り）によって、２つのポケット部１１，１１を左右に形成させてもよい（図１、図２参照）。あるいは、図示はしないが、折丁の片面のみをポケット部１１として、他の片面は印刷頁１２としてもよい。
【００２７】
更に、本発明に係る前記綴込み用冊子１において、前記ポケット部１１の総頁数と、前記印刷頁の総頁数ついては特に限定されず、製本可能な厚さ以下の枚数であればよい。従って、製本方法等を考慮して適宜好適な厚さとなるように各総頁数を決定することができる。また、前記ポケット部１１と前記印刷頁１２との見開きのみからなるパンフレット等であってもよい。
【００２８】
そして、本発明では、前記ポケット部１１を、前記綴込み冊子１の何頁目に綴じるかについても限定されず、適宜、所望の箇所に綴じることができる。従って、例えば、前記綴込み用冊子１の中央頁に、前記ポケット部を綴じなければならない等といった製本工程上の制限もない。これによって製本の構成やデザイン等の選択の幅を広げることができる。
【００２９】
また、本発明では、前記開封抓み部１５の形状等についても特に限定されず、冊子１の大きさや、内容物の形状や、美観等を考慮して、適宜、好適な形状を選択することができる。
【００３０】
本発明に係る綴込み冊子１であれば、前記ポケット部１１は他の印刷頁１２と同じ大きさや形状にできるため、製本工程等では、専用の丁合用機械等を必要とせず、前記ポケット部を丁合するための複雑な工程を設ける必要はない。即ち、前記印刷頁１２の折丁の丁合用機械をそのまま使用できるため作業効率がよく生産コストを抑えることができるため経済的である。
【００３１】
更に、本発明に係る綴込み冊子１に用いられる材料は、製本可能な材料であれば特に限定されず、例えば、紙や軟質樹脂等を用いることができる。収納する内容物の性状や生産コスト等を考慮して適宜好適な材料を用いることができる。
【００３２】
本発明において、前記接着部１４において用いられる接着方法については、特に限定されず、ポケット部に付録等を収納できればよく、メッセージ等を前記第一開封面１１１や前記第二開封面１１２に記載する場合には外部から見えなければよい。例えば、糊付けによってもよいし、熱溶融性接着剤等による各種接着剤を用いてもよいし、ホッチキスで留める方法等でもよい。
【００３３】
本発明における製本方法については、前記ポケット部１１を有する折丁と、印刷頁１２を有する折丁と、を綴じることができる方法であれば特に限定されない。例えば、ホッチキスで留める方法でもよいし、製本用糸で綴じる方法でもよいし、熱溶融性接着剤等の各種製本用接着剤を用いる方法等であってもよい。  
【００３４】
本発明において、前記ポケット部１１に収納する物品については、ポケット部１１に収納可能な大きさ・形状・性状のものであれば特に限定されず、例えば、各種付録や新商品の試供品等を封入することが出来る。
【００３５】
更に、前記内容物の大きさ・形状・性状に応じて、適宜、ポケット部の折丁の長さｍ（図２参照）を決定することができる。例えば、内容物の厚みが厚いものであれば、前記長さｍを長めにして遊びの部分をもたせればよいし、前記内容物の厚みが薄いものであれば、前記長さｍを短めにすることで、ポケット部１１内での内容物の位置ずれを防止したりできる。
【００３６】
図３は、本発明に係る綴込み冊子の第二実施形態の図である。
【００３７】
図３に示された符号２は、両面にポケット部２１，２１を設けた綴込み冊子を表している。前記綴込み冊子２は、２つのポケット部２１，２１と、ポケット構造を有しない印刷頁（例えば、符号２２；図３参照）とが、綴込み線２３で中綴じされた冊子である。
【００３８】
前記ポケット部２１は、１枚のシートを綴込み線２３に向かって二つ折りして、上下２箇所の接着部２４１，２４１と、綴込み線２３側の端部周辺に設けられた接着部２４２と、により二つ折りされたシートを接着することで内部空間が形成されている。そして、前記ポケット部２１の面上に挿入口２５が設けられている。即ち、折り目線２３以外の端部周辺を接着したことで袋とじした状態である。
【００３９】
即ち、冊子本体と、前記冊子本体に綴じ込まれた略帯状のシートが、前記冊子の綴込み線２３に向かって二つ折りにされ、該二つ折りされたシートの端部のうち、前記シートの幅方向の端部周辺と、前記綴込み線側の長手方向の端部周辺とが、それぞれ接着されることで形成されたポケット部と、を有する綴込み冊子である。また、該綴込み冊子２において、前記二つ折りされたシートの面上に物品を収納するための挿入口２５が設けられた綴込み冊子である。
【００４０】
なお、本発明では、前記接着部２４１，２４１，２４２を連設させて略コの字状の接着部となるようにポケット部２１の端部周辺に設けてもよい。そして、二つ折りされたシートの面上（即ち、ポケット部２１の面上）に物品の挿入口２５を設けることで出し入れを容易に行なうことができる（図３参照）。そして、前記綴込み冊子２でも前記ポケット部２１を形成するシート上に、開封のための開封線や開封抓み部等を設けることもできる。
【００４１】
即ち、本発明によれば、冊子の綴込み線２３側の端部を開放させた状態でポケット部を形成させてもよいし（図１等参照）、更に綴込み線２３側の端部も接着することで袋とじ状態のポケット部を形成させることもできる（図３参照）。そこで、適宜、収納する物品の形状等や、製本工程の経済性や、冊子の用途等を考慮して、好適なポケット部の構造を選択できる。そして、本発明に係る綴込み冊子は、１枚のシートを二つ折りにして接着するというシンプルなものであるため、どの端部を接着するのかによらず、効率よくかつ経済的に作製することができる。
【００４２】
図４は、本発明に係る綴込み冊子の第三実施形態の図である。
【００４３】
図４に示された符号３は、折丁の片面にのみポケット部を設けた綴込み冊子を表している。前記綴込み冊子３は、１つのポケット部３１と、ポケット構造を有しない印刷頁（例えば、符号３２；図４参照）とが、綴込み線３３で中綴じされた冊子である。そして、前記ポケット部３１が開封されることで、第一開封面３１１と第二開封面３１２とに展開されている。
【００４４】
前記ポケット部３１は、１枚のシートを前記綴込み線３３に向かって二つ折りして、上下２箇所の接着部（図示せず）により上下の端部を接着することで内部空間が形成されている。また、前記ポケット部３１には、切断線３６，３６（実線；図４参照）が斜めに切り込まれているように形成されていること等により、前記ポケット部３１を容易に開封できるだけでなく、開封時に前記第一開封面３１１等の端部が裂けてしまうことを防止できる。このような構造とすることで、前記ポケット部３１を開封する際にはよりきれいに開封できる。
【００４５】
図５は、本発明に係る綴込み冊子の第四実施形態の図である。
【００４６】
図５に示された符号４は、両面に２つのポケット部４１，４１を設けた綴込み冊子を表している。前記綴込み冊子４は、２つのポケット部４１と、ポケット構造を有しない印刷頁（例えば、符号４２；図４参照）とが、綴込み線４３で中綴じされた冊子である。
【００４７】
前記ポケット部４１は、１枚のシートを綴込み線４３に向かって二つ折りして、上下２箇所の接着部４４，４４により上下の端部を接着することで内部空間が形成されている。
【００４８】
また、前記綴込み冊子４は、切断線４５，４５（点線；図５参照）を前記ポケット部４１の上下に設けているが、開封抓み部を設けていない綴込み冊子である。即ち、前記ポケット部４１の端部４１ａを指でつまんでめくりあげることで、前記切断線４５，４５に沿って開封する。このように前記開封抓み部を設けない構造とすることで、シートの加工工程を単純化できる。
【００４９】
図６は、本発明に係る綴込み冊子の製造方法の一例を説明するための概念図である。
【００５０】
まず、シート５１を観音折りする工程を行なう（Ａ状態；図６参照）。詳しくは、前記シート５１の左右に２つのポケット部を作成するために、シート５１の左右の端部を綴込み線４１３に向かってそれぞれ二つ折り（二点鎖線；図６参照）する工程である。即ち、第一開封面５１１を第二開封面５１２上に重なるように折り目線５１４で二つ折りするものである。
【００５１】
本発明では、Ｂ状態（図６参照）となる前に、必要に応じて、適宜、前記第一開封面５１１や前記第二開封面５１２等にあらかじめメッセージ等を印刷する工程や、物品を収納するための挿入口５１７を前記第一開封面５１１上に設ける工程等を行なうことが望ましい。このように、前記第一開封面５１１と前記第二開封面５１２とを重ね合わせる前に印刷等を行なうことで、製本工程上の作業効率を向上させることができる。
【００５２】
本発明に係る製造方法では、左右にポケット部を有するポケット部用の折丁に限定されず、例えば、図示はしないが、一方の見開き側にのみポケット部を有し、他の見開き側は印刷頁であるような、ポケット部用の折丁を用いることができる。この場合には、シート５１の左右端部の一方の端部のみを綴込み線５１３に向かって二つ折りすればよい。
【００５３】
次に、前記シート５１を折り目線５１４で折り曲げた際に接する端部周辺を接着することで、２つのポケット部を有する折丁を形成する工程を行なう（Ｂ状態；図５参照）。具体的には、４箇所の接着部５１５，５１５，５１５，５１５を設けることで、シート５１の長手方向の端部を接着できる。更に、２箇所の接着部５１６，５１６を設けることで前記シート５１の幅方向の端部を接着でき、その結果、ポケット部の四周をすべて封止することができる。即ち、前記二つ折りされた前記シート５１の端部のうち、前記綴込み線５１３側の端部周辺も接着部５１６によって接着されている状態である。これによって、前記シート５１は、ポケット部用の折丁５１となる。なお、前記第一開封面５１１上に前記挿入口５１７が設けられているため、ここから収納物の出し入れを行なうことができる。
【００５４】
本発明に係る製造方法では、前記接着部５１５，５１６に用いられる接着方法については限定されず、例えば、糊付けによってもよいし、熱溶融性接着剤等による各種接着剤を用いてもよいし、ホッチキスで留める方法等でもよく、前記シート５１の材質や生産コスト等を考慮して、適宜、好適な接着方法を選択できる。
【００５５】
続いて、ポケット部用の折丁５１と冊子本体用の折丁５２とを丁合する工程を行なう（Ｃ状態、Ｄ状態；図６参照）。詳しくは、まず、２枚のポケット部用の折丁５１と冊子本体用の折丁（例えば、符号５２；図６参照）とを重ねて一つにまとめる（Ｃ状態；図６参照）。続いて、綴込み線５１３上で、丁合用部材であるホッチキス針５３，５３を用いて綴じる（Ｄ状態；図６参照）。これによって綴込み用冊子５が完成される（Ｅ状態；図６参照）。
【００５６】
本発明における製本方法に用いられる丁合用部材５３については、前記ポケット部用の折丁５１と冊子本体用の折丁５２とを綴じることができる部材であればよく、その種類は特に限定されず、例えば、ホッチキス針や製本用糸や熱溶融性接着剤等の各種製本用接着剤等であってもよい。従って、冊子の頁数やその素材等を考慮して適宜好適な丁合用部材を選択できる。
【００５７】
また、本発明に係る製造方法では、冊子に使用する前記ポケット部用の折丁の枚数については特に限定されず、綴じることができる枚数であればよい。従って、所望の冊子の構成や、折丁を綴じる方法等を考慮して、適宜、何枚のポケット部用の折丁５１を用いるかを決定できる。
【００５８】
そして、本発明では、前記ポケット部用の折丁になるシート５１と、前記冊子本体用の折丁と、前記丁合用部材５３と、からなる組立てキットとしても使用できる。即ち、個人が自分の使用目的等に応じて、所望の綴込み用冊子５となるように組み立てることができるキットである。その際、前記ポケット部用の折丁となるシート５１は、例えば、丁合用の綴込み線５１３と、二つ折り用の折り目線５１４，５１４と、前記接着部５１５，５１５，５１５，５１５，５１６，５１６と、開封口５１７，５１７とが設けられたシートである（Ａ状態；図６等参照）。
【００５９】
更に、本発明では、前記組立てキットの組立て方法については特に限定されないが、例えば、前記した綴込み冊子５の製造方法の各工程（図６参照）にそって組み立てることができる。そして、組み立てる人の好みに応じて、前記各工程に加えて、シート５１等にメッセージを記入したり、図柄等を印刷したり、加工したりすることもできる。
【００６０】
また、本発明に係る組み立てキットについては、適宜、シート５１や各折丁について好適な形状を選択できるし、前記接着部５１５の位置やその接着方法等についても適宜選択できるし、前記丁合用部材５３の種類や形状についても選択できる。
【産業上の利用可能性】
【００６１】
本発明に係る綴込み冊子は、付録や試供品等を収納した各種ノベルティグッズや販売促進グッズやメッセージ冊子等として幅広く利用できる。
【図面の簡単な説明】
【００６２】
【図１】本発明に係る綴込み冊子の第一実施形態のポケット部が閉じた状態の図である。
【図２】本発明に係る綴込み冊子の第一実施形態のポケット部が開かれた状態の図である。
【図３】本発明に係る綴込み冊子の第二実施形態の図である。
【図４】本発明に係る綴込み冊子の第三実施形態の図である。
【図５】本発明に係る綴込み冊子の第四実施形態の図である。
【図６】本発明に係る綴込み冊子の製造方法の一例を説明するための概念図である。
【符号の説明】
【００６３】
１，２，３，４，５  綴込み用冊子
１１，２１，３１，４１  ポケット部
５１  ポケット部用の折丁
１２，２２，３２，４２，５２  印刷頁
１３，２３，３３，４３，５１３  綴込み線
１４，２４１，２４２，４４，５１５，５１６  接着部
【図１】
2008012779.tif 000003
【図２】
2008012779.tif 000004
【図３】
2008012779.tif 000005
【図４】
2008012779.tif 000006
【図５】
2008012779.tif 000007
【図６】
2008012779.tif 000008
【手続補正書】
【提出日】平成18年7月7日(2006.7.7)
【手続補正１】
【補正対象書類名】明細書
【補正対象項目名】０００４
【補正方法】変更
【補正の内容】
【０００４】
【特許文献１】実用新案登録第３１０６８８５号公報。
【特許文献２】特開平７−３０９０８０号公報。